(57)【要約】【課題】塗装作業時などに使用する作業用フェイスマスクにおいて目を保護するゴーグル部を設けると共に、簡易な構造を付加することで、ゴーグル部のレンズ面が曇らないようにした作業用フェイスマスクを提供する。【解決手段】  前面にレンズ面１１を備え密閉状態で装着されるゴーグル部１と、鼻部及び口部を密閉状態で覆うマスク部２とを、各々密閉状態を維持する状態で連結して一体に形成すると共に、頭部装着部材（ヘッドバンド３）を付設し、前記マスク部に吸気作動の逆止弁を備えたフィルタ部からなる吸気部２４と呼気作動の逆止弁を備えた呼気部２５を設け、ゴーグル部１とマスク部２との間にゴーグル部への通気方向を遮断する逆止弁からなる通気部２６を設けてなる。【選択図】図１
2020116139.tif 000002
【特許請求の範囲】
【請求項１】
前面にレンズ面を備え密閉状態で装着されるゴーグル部と、鼻部及び口部を密閉状態で覆うマスク部とを、各々密閉状態を維持する状態で連結して一体に形成すると共に、頭部装着部材を付設し、前記マスク部に吸気作動の逆止弁を備えたフィルタ部からなる吸気部と呼気作動の逆止弁を備えた呼気部を設け、ゴーグル部とマスク部との間にゴーグル部への通気方向を遮断する逆止弁からなる通気部を設けてなることを特徴とする作業用フェイスマスク。
【請求項２】
顔の上方部分を覆うゴーグル部と、三角形状のマスク部において、ゴーグル部の中央下方部分にマスク部の三角頂点部分を侵入させた状態で連結し、当該侵入部分に通気部を設けてなる請求項１記載の作業用フェイスマスク。
【請求項３】
ゴーグル部が１レンズ面で形成される一眼タイプである請求項２記載の作業用フェイスマスク。
【請求項４】
ゴーグル部が２レンズ面で形成される眼鏡タイプで、二分されるゴーグル部内空間との間にそれぞれ通気部を設けてなる請求項２記載の作業用フェイスマスク。
【請求項５】
マスク部の前面に吸気部を設けると共に吸気部の下方に呼気部を設けてなる請求項２乃至４記載の何れかの作業用フェイスマスク。
【発明の詳細な説明】
【技術分野】
【０００１】
本発明は、塗装作業時などに使用する作業用フェイスマスクに関するものである。
【背景技術】
【０００２】
作業中の呼吸時に粉塵の吸引を防止し、且つ目を保護するフェイスマスクは、視覚を阻害しない透明な前面（レンズ面）を備え、呼吸時における吸気に際して粉塵除去のためのフィルタ部を介するようにしているものである。またレンズ面に曇りが生ずると作業に支障が生ずるので、これらのフェイスマスクには、曇り止め機構を備えている（特許文献１，２）。
【０００３】
例えばゴーグル部とマスク部を合体したフェイスマスク（特許文献１）や、顔面全体を覆う透明なフェイス保護部（＝ゴーグル部）の内側に呼吸用のマスク部を設けたフェイスマスク（特許文献２）においては、呼吸時の吸気がゴーグル部を通過するようにして、ゴーグル部内に常に新鮮な外気が導入されるようにしてレンズ面の防曇を実現している。
【０００４】
すなわち呼吸時の吸気が、付属若しくは付設したフィルタ部を通過してゴーグル部に入り、ゴーグル部から逆止弁を介してマスク部内に入って、そこでマスク装着者の吸気となる。呼気はマスク部から逆止弁を介して直接外気に放出される構成となっている。
【先行技術文献】
【特許文献】
【０００５】
【特許文献１】特開昭５９−１５６３５６号公報。
【特許文献２】特開２００７−２０６７５号公報。
【発明の概要】
【発明が解決しようとする課題】
【０００６】
上記した従前のフェイスマスクは、呼吸時の吸気が一旦ゴーグル部を通過する構成であるので、特許文献１に示されている作業用フェイスマスクのように、ゴーグル部に防塵用のフィルタ部を付属させたフェイスマスクでは、フィルタ部を頭部背後位置等に別に設け、ゴーグル部と通気パイプで連結する必要があり、作業者にとってフィルタ部はマスク装着時や作業時の邪魔になる。
【０００７】
また特許文献２に示されている作業用フェイスマスクのように顔全体を覆うフェイス保護部（＝ゴーグル部）にフィルタ部を付設するフェイスマスクでは、マスク全体が多重構造となり、且つ全体が嵩張ってしまう。
【０００８】
そこで本発明は、小型で且つレンズ面の防曇機能を備えた簡易な構造の作業用フェイスマスクを提案したものである。
【課題を解決するための手段】
【０００９】
本発明の請求項１記載に係る作業用フェイスマスクは、前面にレンズ面を備え密閉状態で装着されるゴーグル部と、鼻部及び口部を密閉状態で覆うマスク部とを、各々密閉状態を維持する状態で連結して一体に形成すると共に、頭部装着部材を付設し、前記マスク部に吸気作動の逆止弁を備えたフィルタ部からなる吸気部と呼気作動の逆止弁を備えた呼気部を設け、ゴーグル部とマスク部との間にゴーグル部への通気方向を遮断する逆止弁からなる通気部を設けてなることを特徴とするものである。
【００１０】
而して本マスクは、塗装作業等の粉塵環境内での作業に使用するもので、頭部装着部材を以て作業者の頭部に装着すると、作業者の顔面はゴーグル部とマスク部で覆われることになり、作業者の呼吸はマスク部に設けられた吸気部と呼気部を通してなされ、フィルタ部によって粉塵の吸引が阻止され、ゴーグル部によって目が保護される。
【００１１】
本マスクのゴーグル部のレンズ面の防曇は、通気部の通気によってなされる。マスク部内及びゴーグル部内は基本的に大気圧と一致するが、呼吸によってマスク部内の気圧が微妙に変動する。即ち吸気においてはマスク部の圧力が低下し、呼気においてはマスク部内の圧力が高まる。従って吸気によって外気がマスク内に入ると共にマスク部内の圧力が低下して通気部が開口し、湿度が高い呼気によってマスク部の圧力が高まり通気部が閉じるので、吸気時の瞬間に通気部が開口してゴーグル部内の空気が僅かに入れ替わる。このゴーグル部内の空気が僅かずつ入れ替わることでレンズ面の曇りが防止される。
【００１２】
また本発明の請求項２記載に係る作業用フェイスマスクは、前記のマスクにおいて特に、顔の上方部分を覆うゴーグル部と、三角形状のマスク部において、ゴーグル部の中央下方部分にマスク部の三角頂点部分を侵入させた状態で連結し、当該侵入部分に通気部を設けてなるもので、全体がコンパクトとなり、通気部の形成位置もゴーグル部の中央になりゴーグル部内の換気が効率的に行われる。
【００１３】
また本発明の請求項３，４記載に係る作業フェイスマスクは、ゴーグル部が１レンズ面で形成される一眼タイプであり、またゴーグル部が２レンズ面で形成される眼鏡タイプで、二分されるゴーグル部内空間との間にそれぞれ通気部を設けてなるもので、ゴーグル部の態様に関係なく適用され見ものである、
【００１４】
また本発明の請求項５記載に係る作業用フェイスマスクは、マスク部の前面に吸気部を設けると共に吸気部の下方に呼気部を設けてなるので、通気出入り箇所がマスクの上下に並んで配置され、通気部におけるゴーグル部内への換気がスムーズに流れる。
【発明の効果】
【００１５】
本発明の構成は上記のとおりで、防曇機能を有するゴーグル部を備えた作業用フェイスマスクの小型化を実現できたものである。
【図面の簡単な説明】
【００１６】
【図１】本発明の実施形態の説明図（使用状態の正面図）。
【図２】同図（背面図）。
【図３】同空気流通の説明図。
【図４】同要部拡大斜視図。
【図５】同別例の正面図。
【発明を実施するための形態】
【００１７】
次に本発明の実施形態について説明する。実施形態に示した作業用フェイスマスクは、ゴーグル部１とマスク部２とヘッドバンド（頭部装着部材）３で構成される。
【００１８】
ゴーグル部１は顔Ａの上方部分を覆う形状で、前面にレンズ面１１を備え、周囲部１２はレンズ枠で顔面に密着する当接面１３は、適宜クッション材で形成してなる。
【００１９】
マスク部２は、鼻部及び口部を密閉状態で覆う三角形状で、前面部２１はゴム質材（硬質）で形成され、周縁裏面部２２は内方に折返した柔軟性を確保して顔面に密着するようにしてなる。
【００２０】
前記のマスク部２は、ゴーグル部１の中央下方部分にマスク部２の三角頂部２３を侵入させた状態で連結し、ヘッドバンド３を使用してゴーグル部１とマスク部２を顔面に装着した際に、ゴーグル部１とマスク部２は各々密封状態となるように形成したものである。
【００２１】
またマスク部２は吸気部２４、呼気部２５、通気部２６を設けたもので、吸気部２４はマスク部２の正面、呼気部２５は吸気部２４の下方、通気部２６は三角頂部２３に設けたものである。
【００２２】
前記の吸気部２４は、外気からマスク部２への通過を許容し、マスク部２から外気への通過を阻止する逆止弁と外気の粉塵のマスク部２内への塵埃の侵入を阻止するフィルタ部を備えている。呼気部２５は、マスク部２内から外気への通過を許容し、外気からマスク部２への通過を阻止する逆止弁で形成されているものである。
【００２３】
通気部２６はゴーグル部１内に突出侵入しているマスク部２の三角頂部２３に設けたもので、ゴーグル部１とマスク部２と間の通気遮断・通過をなす逆止弁で、マスク部２内がゴーグル部１内よりも気圧が高いときに閉口し、マスク部２内がゴーグル部１内よりも気圧が低いときに開口する。
【００２４】
而して本マスクは、塗装作業等の粉塵環境内での作業に使用するもので、一体となっているゴーグル部１及びマスク部２で顔面Ａを覆うと共にヘッドバンド３を締め、ゴーグル部１及びマスク部２を顔面密着させて装着する。
【００２５】
本マスクを顔面Ａに装着した際の作業者の呼吸は、外気が吸気部２４からマスク部内に入り、呼気部２５から外気に放出され、吸気時に吸気部２４のフィルタによって粉塵が遮断され、またゴーグル部１によって目が保護される。
【００２６】
特にゴーグル部１のレンズ面１１の防曇は、呼吸時におけるマスク部２内の圧力変動で通気部２６での通気が行われることによって実現するものである。
【００２７】
吸気時においては、マスク部２の圧力が低下し、呼気においてはマスク部２内の圧力が高まるので、通気部２６は吸気時に開口し、呼気時に閉口することになる。この吸気時の僅かな時間通気部２６が開口し、ゴーグル部１内の空気が吸気部２４を通過した外気と僅かに入れ替わることになる。即ち呼吸のたびにゴーグル内の空気が粉塵除去された外気と僅かずつ入れ替わることになり、ゴーグル部１内の湿度が高まることが防止され、レンズ面１１が曇ることがない。
【００２８】
また本発明は上記した実施形態に限定されるものではなく、図５に示したようにレンズ面１１ａが並列し、ゴーグル部内空間が二分する眼鏡型ゴーグル部１ａを採用する作業用フェイスマスクにも適用できる。
【００２９】
その際には二分される各ゴーグル部空間とマスク部２内と間にそれぞれ通気部２６を設けるようにすれば良いものである。
【００３０】
以上のとおりであるから、本発明はゴーグル部１とマスク部２で構成される簡易な小型な作業用マスクに、簡易な構造で防曇機能を付与することができたものである。
【符号の説明】
【００３１】
１，１ａ      ゴーグル部
１１，１１ａ    レンズ面
１２    周囲部
１３    当接面
２      マスク部
２１    前面部
２２    周縁裏面部
２３    三角頂部
２４    吸気部
２５    呼気部
２６    通気部
３      ヘッドバンド（頭部装着部材）
【図１】
2020116139.tif 000003
【図２】
2020116139.tif 000004
【図３】
2020116139.tif 000005
【図４】
2020116139.tif 000006
【図５】
2020116139.tif 000007
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
前面にレンズ面を備え密閉状態で装着されるゴーグル部と、鼻部及び口部を密閉状態で覆うマスク部とを、各々密閉状態を維持する状態で連結して一体に形成すると共に、頭部装着部材を付設し、前記マスク部に吸気作動の逆止弁を備えたフィルタ部からなる吸気部と呼気作動の逆止弁を備えた呼気部を設け、ゴーグル部とマスク部との間に、マスク装着時における吸気時のマスク部内圧力低下で開口し、呼気時のマスク部内圧力上昇で閉口する逆止弁からなる通気部を設けてなることを特徴とする作業用フェイスマスク。
【請求項２】
顔の上方部分を覆うゴーグル部と、三角形状のマスク部において、ゴーグル部の中央下方部分にマスク部の三角頂点部分を侵入させた状態で連結し、当該侵入部分に通気部を設けてなる請求項１記載の作業用フェイスマスク。
【請求項３】
ゴーグル部が１レンズ面で形成される一眼タイプである請求項２記載の作業用フェイスマスク。
【請求項４】
ゴーグル部が２レンズ面で形成される眼鏡タイプで、二分されるゴーグル部内空間との間にそれぞれ通気部を設けてなる請求項２記載の作業用フェイスマスク。
【請求項５】
マスク部の前面に吸気部を設けると共に吸気部の下方に呼気部を設けてなる請求項２乃至４記載の何れかの作業用フェイスマスク。
【手続補正２】
【補正対象書類名】明細書
【補正対象項目名】０００９
【補正方法】変更
【補正の内容】
【０００９】
本発明の請求項１記載に係る作業用フェイスマスクは、前面にレンズ面を備え密閉状態で装着されるゴーグル部と、鼻部及び口部を密閉状態で覆うマスク部とを、各々密閉状態を維持する状態で連結して一体に形成すると共に、頭部装着部材を付設し、前記マスク部に吸気作動の逆止弁を備えたフィルタ部からなる吸気部と呼気作動の逆止弁を備えた呼気部を設け、ゴーグル部とマスク部との間に、マスク装着時における吸気時のマスク部内圧力低下で開口し、呼気時のマスク部内圧力上昇で閉口する逆止弁からなる通気部を設けてなることを特徴とするものである。